(57)【特許請求の範囲】
【請求項１】
第１の粘着層を有する底面側及び上面側を備える基部と、
前記基部に隣接し、このラベルが容器に配置されたとき前記基部を少なくとも部分的に覆う重複部と、
前記基部に形成された少なくとも１つの除去可能なタグと、
前記少なくとも１つの除去可能なタグを取外し可能に取り付ける取付手段と、
前記重複部に形成された少なくとも１つの除去可能な更なるタグであって、型抜き線、連続的な刻み線、ミシン目のうち少なくとも１つによって前記重複部から分離されるものと、
前記少なくとも１つの除去可能な更なるタグを取外し可能に取り付ける更なる取付手段であって、前記少なくとも１つの除去可能な更なるタグに接して前記重複部の底面側に取り付けられた粘着反発層を備えるものと
を具備する容器に貼り付けるためのラベル。
【請求項２】
前記重複部を着脱可能に留めるための留め手段を更に具備する請求項１に記載のラベル。
【請求項３】
前記粘着反発層は有形物部分の上に配置されている請求項１又は２に記載のラベル。
【請求項４】
前記有形物部分は、前記少なくとも１つの除去可能な更なるタグに重複する寸法を有する少なくとも２つの面を持つものであり、前記粘着反発層は、前記少なくとも１つの除去可能な更なるタグの表面領域に実質的に対応する表面領域を有する請求項３に記載のラベル。
【請求項５】
前記少なくとも１つの除去可能な更なるタグの上面には印刷がなされている請求項１乃至４のいずれかに記載のラベル。
【請求項６】
前記有形物部分には、前記少なくとも１つの除去可能な更なるタグに付けられた情報と同様の情報が印刷されている請求項３又は４に記載のラベル。
【請求項７】
前記有形物部分は粘着層を含み、この粘着層は粘着解消手段で覆われている請求項３又は４に記載のラベル。
【請求項８】
前記粘着解消手段は、前記粘着層の上に塗布されたワニスからなる請求項７に記載のラベル。
【請求項９】
前記基部は、前記少なくとも１つの除去可能なタグに近接する拡張された領域を含む請求項１乃至７のいずれかに記載のラベル。
【請求項１０】
前記基部は、ラベルが貼り付けられるべき容器の周囲に実質的に対応する長さを持つ請求項１乃至９のいずれかに記載のラベル。
【請求項１１】
前記第１の粘着層が前記重複部にまで延びて設けられている請求項１乃至１０のいずれかに記載のラベル。
【請求項１２】
前記留め手段が、前記基部から離れた前記重複部の縁部領域上に設けられた留め用の粘着層を含む請求項２に記載のラベル。
【請求項１３】
前記留め用の粘着層が、非粘着性の隅片を形成する凹みを含む請求項１２に記載のラベル。
【請求項１４】
前記重複部を着脱可能に留めるための前記留め手段は、前記ラベルの上面に配置された粘着反発性の上面円滑層を含む請求項２に記載のラベル。
【請求項１５】
前記重複部は、ラベルが貼り付けられるべき容器の周囲に実質的に対応する長さを持つ請求項１乃至１４のいずれかに記載のラベル。
【請求項１６】
前記重複部の底面側に配置された少なくとも１つの情報シートを更に具備する請求項１乃至１５のいずれかに記載のラベル。
【請求項１７】
第１の粘着層を有する底面側及び上面側を備える基部と、
前記基部に隣接し、このラベルが容器に配置されたとき前記基部を少なくとも部分的に覆う重複部と、
前記基部に形成された少なくとも１つの除去可能なタグと、
前記少なくとも１つの除去可能なタグを取外し可能に取り付ける取付手段と、
タグ粘着層を含む前記重複部の上面側に設けられた少なくとも１つの除去可能な更なるタグと、
前記重複部の上面側に配置された粘着反発性の上面円滑層と
を具備し、前記少なくとも１つの除去可能な更なるタグが前記粘着反発性の上面円滑層に対して取外し可能に接着されることを特徴とする容器に貼け付けるためのラベル。
【請求項１８】
前記重複部を着脱可能に留めるための留め手段を更に具備する請求項１７に記載のラベル。
【請求項１９】
前記少なくとも１つの除去可能な更なるタグは、前記重複部の中央部分に配置される請求項１７又は１８に記載のラベル。
【請求項２０】
前記少なくとも１つの除去可能な更なるタグには印刷がなされている請求項１７乃至１９のいずれかに記載のラベル。
【請求項２１】
前記重複部の上面には、前記少なくとも１つの除去可能な更なるタグに印刷されたのと同様の情報が印刷されている請求項２０に記載のラベル。
【請求項２２】
前記少なくとも１つの除去可能な更なるタグは、非粘着性の端部片を持つ請求項１７乃至２１のいずれかに記載のラベル。
【請求項２３】
前記基部は、前記少なくとも１つの除去可能なタグに近接する拡張された領域を含む請求項１７乃至２２のいずれかに記載のラベル。
【請求項２４】
前記基部は、ラベルが貼り付けられるべき容器の周囲に実質的に対応する長さを持つ請求項１７乃至２３のいずれかに記載のラベル。
【請求項２５】
前記重複部の底面側の中央部分は、粘着作用が効かないようになっている請求項１７乃至２４のいずれかに記載のラベル。
【請求項２６】
前記留め手段が、前記基部から離れた前記重複部の縁部領域上に設けられた留め用の粘着層を含む請求項１８に記載のラベル。
【請求項２７】
前記留め用の粘着層が、非粘着性の隅片を形成する凹みを含む請求項２６に記載のラベル。
【請求項２８】
前記重複部を着脱可能に留めるための前記留め手段は、前記ラベルの上面に配置された粘着反発性の上面円滑層を含む請求項１８に記載のラベル。
【請求項２９】
前記重複部は、ラベルが貼り付けられるべき容器の周囲に実質的に対応する長さを持つ請求項１７乃至２８のいずれかに記載のラベル。
【請求項３０】
前記重複部の底面側に配置された少なくとも１つの情報シートを更に具備する請求項１７乃至２８のいずれかに記載のラベル。
【発明の詳細な説明】
【０００１】
【発明の属する技術分野】
本発明は、容器、好ましくは円筒状の容器、に貼り付けるためのラベルの技術分野に関し、また、そのようなラベルを備えた容器に関する。加えて、本発明は、そのようなラベルが少なくとも１つの除去可能なタグと該除去可能なタグを取外し可能に付属させる付属手段と具備することに関する。特に、本発明は、そのようなラベルが、底面に第１の粘着層を有する基部と、このラベルが容器に配置されたとき該基部を少なくとも部分的に覆う重複部とを有していることに関する。
【０００２】
【従来の技術】
この種の従来知られた一般的なタイプのラベルは、例えばヨーロッパ特許第０４６３１９３．Ｂ１号に示されている。そのようなラベルは主に医薬品を入れる容器に貼り付けるのに使用される。自己粘着で除去可能な１又は複数のタグには容器の内容物に関する情報を含んでいる。この自己粘着かつ除去可能なタグは取り外して記録書類に貼り付けることができるので、容器の内容物についての情報が、内容物の誤認というような混同や間違いが起こる危険性なしに記録書類に転写される。
【０００３】
医薬品においては、小さな容器のラベルに直接容器の内容物に関する大量の情報を提供できるようにする必要性が益々高まってきている。一般的に少なくとも２枚用意されている除去可能なタグには、たいてい単に使用期限と製造番号が記載されている。タグに比較的少量の情報しか与えられていないにも拘らず、個々のタグの大きさは、タグの扱いを便利にするため（つまり、自己粘着タグの分離と記録書類上への貼りつけとを簡単に行えるようにするため）に最少限の大きさを持っていなければならない。しかし、これらのタグは、容器にラベルを貼る直前に薬品製造者によって一般に機械印刷されるので、印刷配置においてある程度の誤差を許容し得る（つまり印刷の多少の配置ミスを認容し得る）サイズでなければならない。加えて、薬品製造者は最近ますます２枚のものだけでなく３枚若しくはそれ以上の枚数の除去可能タグがついたラベルを求めている。これら全ての要求は、小さな容器のジャケット面のほとんどがタグによって簡単に覆われてしまう結果を招き、他の医学的に重要な情報を提供するスペースがほとんどないということになる。
【０００４】
米国特許第６，１９３，２７９．Ｂ１号は、容器、好ましくは円筒状の容器、に貼り付けるためのラベルを開示している。そのラベルは少なくとも１枚の除去可能なタグと、取り外し可能に付属させる付属手段とを具備する。特に、そのラベルは、底面に第１の粘着層を持つ基部と、ラベルが容器に配置されるとき少なくとも部分的に該基部を覆う重複部とを含んでいる。これにより、ラベルを付けた容器のジャケット面を最適に使用することが達成できる。ラベルを貼る容器の直径が非常に小さいと、その種のラベルに除去可能タグを３枚若しくはそれ以上つけることは難しい。
【０００５】
【発明が解決しようとする課題】
本発明は上述の点に鑑みてなされたもので、先に述べたタイプのラベルにおいて、容器の全ジャケット面よりも広く覆えるラベルが、情報を提供するために使用され得るようにすることを目的とする。
この目的は、基部に設けられた少なくとも１つの除去可能なタグと、重複部に設けられた少なくとも１つの除去可能な更なるタグとを有するラベルを提供することによって達成される。
【０００６】
実際、本発明によれば、望みに応じて容器の全ジャケット面を覆うことが出来る重複部にいかなる形態においても情報を付加することが可能になる、という驚くべき結果が得られる。重複部の上面はいかなる方法でも予め処理する必要はないので、ラベル完了後に、最終消費者によって、例えばインクジェット・プリンターで、その全部又は一部分に情報を付加することが出来る。同様に、本発明に従うラベルは、そのサイズと数（枚数）に関して従来技術のラベルに比べてはるかに優れている。なぜなら、（望みとあらば）容器の全ジャケット面より広範囲にわたって、基部と重複部に付属されたタグが利用可能になり、それゆえほとんど無限の効用が提供できるからである。
【０００７】
基部に収容されている除去可能なタグが重複部に完全に覆われた時、広範囲な情報表面と広範囲な表面が、容器のジャケット面に対して、タグ用に提供される。よって、本発明の有利な実施例によれば、重複部を取り外し可能に留める留め手段が提供される。半永久的な情報及び少なくとも１つの除去可能なタグが設けられていてよい重複部が、一時的に留め手段を用いて持ち上げられ、容器から巻きほどかれて、基部に形成された除去可能なタグがアクセス可能となり、別の使用目的のためにそれを取り外すことができるようになる。１又は複数のタグを取り外した後、重複部は再び容器のまわりに取り付けられることができるため、基部とそのタグとを完全に覆っている位置がそのオリジナル位置とみなされる。
【０００８】
本発明の有利な実施例によると、除去可能な１又は複数のタグを取り外し可能に取り付けるための取付手段は、基部と重複部それぞれの底面に取り付けられ、そして、除去可能なタグに接する、底面円滑層からなる。ラベルが容器につけられるとき、この底面円滑層はタグと容器の表面の間に或る範囲で横たわっており、自己粘着性のタグが容器の表面にしっかりとくっつくのを防ぐ。
【０００９】
本発明の有利な実施例によると、底面円滑層は適宜の有形物部分に配置されている。好ましくは、有形物部分は、ラベルの長さ方向においてはラベルに重複する長さを持ち、一端部はラベルの外側縁部と同じになっていて、その反対側の端部はタグの端部を少し超えて延びている。逆に、底面円滑層はその表面積において１又は複数のタグの表面積におおむね対応する。こうして、底面円滑層を持つ有形物部分は底面円滑層が有形物部分より狭い面積を持っているので，ラベルの底側にある第１の粘着層にしっかりと接着する。
【００１０】
底面円滑層は有形物部分の上に印刷・塗布されることが可能であり、もし望むならば、碁盤目格子状その他同様の構造が、タグと底面円滑層又は有形物部分の間の粘着力を制御するために用いられる。
好ましくは、基部に設けられているタグに関連するものである限り、有形物部分は、タグに対面していない面側において固定粘着層が設けられていてよく、これにより、容器に当該有形物部分を確実にしっかり固定することを可能にする。
【００１１】
本発明の有利な実施例によると、タグは、連続する刻み線または型抜き線を設けることにより、基部及び重複部それぞれから分離することが可能であるが、それにもかかわらず、ラベルを貼っている間でさえ比較的確実に位置を保つことができるということが分かっている。
【００１２】
好ましくは、タグには、除去の補助手段として用いられ、またタグを除去して記録書類に貼りつける際に利用者がタグの接着剤に接触するのを防ぐ、非粘着質の端部片が設けられていてよい。
【００１３】
本発明の有利な実施例によると、ラベルの基部はタグの領域において拡張されたエリアを有している。この拡張されたエリアにより、基部は重複部によって完全に覆われておらず、代わりに、タグの狭い端の細長い一辺が見えるようになる。よって、基部のタグは利用者にはっきり見えた状態で利用可能なので、利用者が基部に設けられているタグに近づくために、ただ一時的に重複部を除去するだけでよいことが明らかである。
【００１４】
好ましくは、基部はラベルが貼り付けられるべき容器の周囲に対応する長さからなっているよい。基部はその底面側に第１の粘着層を持つので、ラベルを容器に貼り付けるときに、基部全体がしっかりと容器へ結合される。
【００１５】
好ましくは、基部に設けられた第１の粘着層は、少なくとも部分的に、重複部の方にまで延長されるので、重複部もまた比較的しっかりと基部に貼りつけられる。
【００１６】
少なくとも基部と反対側の重複部の端部（空いている端部）の領域において、重複部のこの空いている端部を確実にしっかりと留めるようにする留め用の粘着層が設けられる。好ましくは、取外し補助手段として非粘着性の隅角が形成されるように、この留め用の粘着層の一つの角がへこんでいる。
【００１７】
本発明のもう一つの有利な実施例によると、重複部の中央部分が非粘着性になっているので、重複部を持ち上げることが容易になる。特に、これは重複部が持ち上げられた際、個々のタグが基部から破り取られる可能性を防いでいる。同様に、タグが接着剤で汚れないようにしている。
【００１８】
本発明の有利な実施例によると、重複部を取り外し可能に留める留め手段は、重複部の空いている端部に設けられた留め用の粘着層からなっている。
別の実施例においては、重複部を取り外し可能に留める留め手段は、ラベルの上面に配置された粘着反発性の上面円滑層をも含んでいてよく、これにより、容器へラベルを貼った後、留め用粘着層が上面円滑層へ接着し、上面円滑層から簡単に取り除かれるようになる。
【００１９】
好ましくは、すでに説明されているように基本的情報が設けられていてよい重複部は、ラベルが貼り付けられるべき容器の周囲におおむね対応した長さを持っている。重複部が容器の周囲より大幅に長く設けられているならば、それゆえ重複部は容器上で繰り返し重なって巻きつけられてよい。
重複部の底面側の上に情報シートが配置され、それは両側に印刷されていてよい。もちろん小冊子の形で複数枚の情報シートを貼りつけることも可能である。
【００２０】
もう一つ別の実施例によると、１又は複数のタグが、タグ粘着層を持っていて、基部の上面および／又は重複部の上面に配置されるようになっていてよい。
ここで、基部と重複部それぞれの上面に、少なくとも１枚のタグが一時的に接着する粘着反発性の円滑層が設けられていると、都合がよい。
本発明は、容器の周囲全体へ接着する第１の粘着層が設けられた基部と、基部が少なくとも部分的に覆われる重複部と、少なくとも１枚の除去可能なタグとを有することを特徴とするラベルに関する。
【００２１】
いずれの方法にせよ、製品情報及び使用法説明のために容器のジャケット面全体を使用できるようにするために、本発明は、基部に設けられた少なくとも１枚の除去可能なタグと、重複部にあるさらにもう１枚の除去可能なタグと、除去可能なタグを取り外し可能に取り付けるためにタグと容器の間に設けられた取付手段とを提供する。
有利な実施例によると、本発明は、ラベルが貼られる容器の周囲に対応する長さを持つ基部を設けてよい。また別の実施例によると、本発明は、ラベルが貼り付けられるべき容器の周囲におおむね対応する長さを持つ重複部を設けてよい。ラベルを製造するため、フィルム（透明又は不透明な）、紙若しくは合成物質が用いられる。
【００２２】
本発明に従うラベルは粘着領域と非粘着領域とを持ち得るので、ラベルが選択的に接着剤（粘着剤）に覆われるようにするか、あるいは、長い材料の表面全体を接着剤（粘着剤）で覆い、それから、所定の表面領域が、接着剤（粘着剤）の効力を中和する物質（時にこれを粘着解消部とも呼ぶ）でこれらの領域を刷り重ねるか覆うことにより、非粘着性にされるようにしてよい。
【００２３】
ラベルは、ほとんどいかなる印刷処理で印刷されることができ、ラベルの表面が印刷媒体として用いられてよい。しかし、透明な材料が用いられる場合、ラベルは、底面の上にも、つまりその後に接着剤で覆われる面の上にも、都合よく印刷されることができる。この場合の文字は、鏡文字で適用されねばならない。一般に、文字はそれから背景印刷インクで刷り重ねられる。印刷をこのように行うバージョンは、フィルムと容器の間に印刷物が位置するので、加えられた印刷がラベルフィルム自身によって次第に消えていくことから保護される。
【００２４】
本発明の実施例は、様々な図において図式的に示される実施例で、下記に詳細に述べられる。図における製図法は一律の比率で描かれていないことに注意されたい。特に、図示を明瞭にするため、他の寸法と比べて、層の厚さはかなり大きめにして描かれている。
【００２５】
【発明の実施の形態】
図１は、本発明の一実施例に従うラベル１の上面図であり、参照番号１で全体的に示されたベースフィルムと添字で示されたその付属部品とを具備している。ラベル１はその大まかな輪郭形状においておよそ四角い形をしており、基部１ａと基部１ａに隣接する重複部１ｂとを一体に有している。基部１ａはラベルが貼り付けられるべき容器（図示せず）の周囲に対応する長さを持つ。また、ラベルは、フィルム（透明又は不透明な）、紙、またはその他合成物質を用いて製造されてよい。
【００２６】
図示された実施例の基部１ａにおいて、除去可能または取り外し可能なタグ３ａ及び３ｂを形成する合計４本の四角形をなす刻み線がある。重複部１ｂには、１枚の除去可能な更なるタグ２０を形成する３本の四角形をなす刻み線がある。タグ３ａ、３ｂ及び２０は、人が簡単にタグをつかむことが出来るよう、それぞれ一端が基部１ａと重複部１ｂの長い外側端と共通になるように配置されている。タグ３ａと３ｂ及びタグ部分を超えた或る程度の範囲において、基部１ａは追って詳しく説明する拡張されたエリア８を有している。重複部１ｂの近傍の基部１ａの領域におけるラベル１の上面において、ラベル１は粘着反発性の上面円滑層５が設けられている。基部１ａに隣接しているラベル１の重複部１ｂは、同様に、容器の表面の寸法に大体対応した長さを持っている。重複部１ｂの上面には、図において「ｔｅｘｔ」という単語の繰り返しによって象徴的に表わされているように、適宜の印刷物（表示物）が付与されている。もちろん，この印刷物はいかなる形及び色を持っていてもよい。また、特に、図１に示されたラベル１の上面は本実施例のラベルを実現するにあたって（上面円滑層５を除き）格別の前処理がなされる必要がまったくないので、典型的な印刷処理を施すことに限定されるものでもない。型抜きされた除去可能なタグ３ａ、３ｂ及び２０もまた印刷された文章／テキスト（特に図では表示していないが）を含んでいてよい。通常、そのような印刷された文章／テキストとしては、例えば使用期限のような最新印刷物がラベルに適用する直前に設けられる。加えて、従来よりお決まりの内容の印刷物、例えば容器に入っている製品の名前などの印刷物があってもよい。
【００２７】
図２は、図１のラベルの長手方向縦断面図である。この図は容易に認識される基部１ａと重複部１ｂをはっきり示している。この図は、また、基部１ａのフィルムを型抜きしたタグ３ａ、３ｂ及び２０と、重複部１ｂと、図１に関連して上述した粘着反発性の上面円滑層５とをも明瞭に示している。加えて、図２にもまた示されているように、基部１ａと重複部１ｂは、その底面側において、第１の粘着層２により覆われている。重複部１ｂの中央領域１２（図３にも示されている）は非粘着（後に説明されているように）なので重複部１ｂを持ち上げることが容易になされる。特に、これは重複部１ｂが持ち上げられたとき、基部１ａから各タグ３ａと３ｂが引き破られる可能性を防いでいる。また、タグ３ａと３ｂを粘着物で汚さないようにしている。
【００２８】
除去可能なタグ３ａ、３ｂ及び２０の領域において、これらの領域を幾分超える範囲で、第１の粘着層２はフィルム片又は有形物部分１５ａ，１５ｂにより覆われている。これらのフィルム片又は有形物部分１５ａ，１５ｂの各々は、ベースフィルム１に対面している面側に底面円滑層４ａ，４ｂを持つ。有形物部分１５ａ，１５ｂの反対側（ベースフィルム１に向いていない側）において、有形物部分１５ａと１５ｂには固定粘着層７ａと７ｂが設けられており、固定粘着層７ｂは容器へ有形物部分１５ｂを固定するものであるが、後述するように、粘着層７ａは粘着解消部２１により覆われている。有形物部分１５ａと１５ｂは各々ラベル１の長さ方向においてタグに重複しており、また一端部は基部１ａと重複部１ｂの外側端と共通しており、それとは反対側の端部はタグの端部を少し超えて延びている。言い替えれば、図示された実施例において、有形物部分１５ａと１５ｂの各々はタグ３ａ、３ｂ及び２０の表面エリアより大きな表面エリアを有している。有形物部分１５ａと１５ｂは、底面円滑層４ａと４ｂが図２にはっきりと示されているように有形物部分１５ａと１５ｂより小さな表面エリアを有しているため、第１の粘着層２にしっかりと粘着する。図２において、有形物部分１５ａと１５ｂと第１の粘着層２の間に距離があるかのように描かれているのは、図示を明瞭にする目的で、各層が誇張された厚さ寸法で図示されているからである。現実には、底面円滑層４ａ，４ｂはほんの数ミクロンの厚さしかないので、このように描かれた距離は実際には存在しない。有形物部分１５ａの固定粘着層７ａは粘着解消部２１すなわち粘着作用を緩和する材料の層により覆われている。こうして、重複部１ｂにおける非粘着中央領域１２すなわち粘着性がない領域が設けられる。
【００２９】
図３は、ラベルの下面から見た、つまり接着剤により覆われた側から見た、図１のラベルの裏側を表わしている。図２に関連して上述された第１の粘着層２は図３ではっきりと見ることが出来る。粘着層２は端部の隅角の領域にくぼんだ部分を含んでおり、非粘着性の隅片１１が除去用補助手段としての使用のために形成されるようになっている。同様のくぼんだ部分が、各タグ３ａ、３ｂの端部領域に設けられており、該タグが非粘着性の端部片９ａ、９ｂを用いて除去できるようになっている。図３はまた、有形物部分１５ｂに適用された固定粘着層７ｂと、重複部１ｂの中央領域に設けられた粘着解消部２１の層と、をはっきりと示している。
【００３０】
表現された実施例においてはっきりと判るように、有形物部分１５ｂのサイズはタグ３ａと３ｂの非粘着性の端部片９ａ、９ｂを覆わないように選定されており、これにより、ベースフィルム１の断片の取り外し易さを一層改善するようになっている。同様に、基部１ａのタグ３ａと３ｂが有形物部分１５ｂとその円滑層４ｂによって覆われているように、重複部１ｂに設けられているタグ２０はその底面で有形物部分１５ａとその円滑層４ａによって覆われている。有形物部分１５ａの粘着層７ａが粘着解消部２１によって覆われているため、有形物部分１５ａは容器に固定されない。その代わりに、有形物部分１５ａは、第１の粘着層に対面しているその表面が円滑層４ａにより完全には覆われていないという事実のために、重複部１ｂの底側にしっかりと付属される。従って、有形物部分１５ａは、重複部１ｂが容器から持ち上げられたとき該重複部１ｂにくっついていく。こうして、有形物部分１５ａは、重複部１ｂのタグ２０を取り外すことでその機械的強度が弱められた時、該重複部１ｂの機械的強度を支えるのに役立つ。
【００３１】
原理的には、有形物部分１５ａの粘着層７ａを省略することは可能であり、その場合、粘着解消部２１の層はなくてよい。しかし、粘着層７ａ、７ｂを含む有形物部分１５ａ、１５ｂは一連の長尺物（連続するウェブ）から製造され、後述するように、製造過程をかなり容易にする。
【００３２】
図１乃至図３に示されたラベルは以下のように処理される。
該ラベルは、一般的に、粘着反発性の円滑層を持つ搬送ベルト（図示せず）上に置かれる。それゆえ、搬送ベルトが走る方向はラベルの縦方向と平行である。ラベルは、各基部１ａが搬送方向に関して前向き横たわるように搬送ベルト上に置かれる。搬送ベルトは、搬送ベルトからラベルを分離させる分離端（図示せず）の上に、周知の技術を用いて引っ張られる。基部１ａの空いている端縁１ｃが該分離端の上に来たラベルは、回転する円筒状の容器（図示せず）と接触するようになり、そこで第１の粘着層２が該容器のジャケット面に接着される。
【００３３】
基部１ａが容器の外周の長さを持っているため、底面円滑層４ｂと固定粘着層７ｂを伴う有形物部分１５ｂを含む基部１ａは、容器の外側ジャケット面の周りに配置され、これら二つの部品間に強力な結合が確立される。容器が２度目に回転する際、重複部１ｂは、重複部１ｂの空いている端部（自由端）が基部１ａに届くまで、より正確には、留め用の粘着層が基部１ａの粘着反発性の上面円滑層５に届くまで、基部１ａの上に巻きつけられる。重複部１ｂは空いている端部（自由端）の先端１ｄともう一方の端とで第１の粘着層２によってしっかり留められる。
【００３４】
ラベル１が貼り付けられた容器１３は図４にはっきり図解されている。明らかなように、容器１３の円筒の円筒状ジャケット面全体は容器の内容物についての情報を持った重複部１ｂにより覆われている。タグ３ａと３ｂの領域にある基部１ａの拡張エリア８により、タグ３ａと３ｂの位置を確認するラベルの上端にあるタグ３ａと３ｂの小さな部分が、ひとたびラベルが容器１３に貼りつけられると、利用者によって容易に見分けられることができるようになる。
【００３５】
タグ３ａと３ｂに到達するために、利用者は、非粘着性の隅片１１の助けを得て、重複部１ｂの空いている端を引き離し、それにより、タグ３ａと３ｂを露出させる。それから、利用者は非粘着性の端部片９ａ，９ｂにより１又は複数のタグをつかんで除去し、除去したタグを資料目的でどこにでもしっかり固定することが出来る。これらの非粘着性の端部片９ａ，９ｂは、タグが除去されて記録書類へ貼りつけられる時、利用者がタグの粘着剤に触れることを防ぐ。タグ３ａと３ｂは、それらが粘着反発性の底面円滑層４ｂに接着されているので，容易に切り離すことができる。望むなら、碁盤目状格子その他類似の構造が、タグと底面円滑層４ｂまたは有形物部分１５ｂとの間の粘着力を制御するために用いることも可能である。希望する枚数のタグを除去した後、利用者は、先に図４に図示した状態が復元されるように、容器１３の周りを重複部１ｂで包む。いかなる場合でも、既に説明したようにタグが重複部１ｂにより完全に覆われないので、どのタグがすでに除去されたかを見分けることが出来る。重複部１ｂが容器の周囲より大幅に長く設けられている場合、重複部１ｂは容器上で繰り返し巻けつけられるようになっていてよく、その場合は重複部１ｂはそれ自身をも重複する。
【００３６】
重複部１ｂに設けられている除去可能な更なるタグ２０は、容器から重複部１ｂを持ち上げる必要なく、単純にそれをつかみ、重複部１ｂから引き剥がすことによって、切り離すことが可能である。もし、除去可能なタグ３ａ、３ｂ及び２０上の情報が、これらのタグの下にある有形物部分１５ａと１５ｂと同じならば、ラベルが貼りつけられた容器１３の情報はタグが除去された後でさえ変わらないまま残っている。
【００３７】
本発明の別の実施例が図５に示されている。図５に示されたラベルは、重複部１ｂの底側に留められた２枚の追加情報シート１６，１７が設けられている点でのみ、図２に示されたものと相違している。情報シート１６は基部１ａの第１の粘着層２の端に固定される。情報シート１６と第１の粘着層２との間の距離は、その間にある各種の層の拡大された厚みを図示しているが故に、図の上では距離が存在しているかに見えるが、実際は事実上存在していないほどである。情報シート１７を留めるために、小さな追加の第４の粘着層１８が使われている。情報シート１６と１７には、それらが重複部１ｂの非粘着中央領域１２の内部に取り囲まれて、ラベルが貼りつけられるべき容器の周囲がそれで包まれるような、長さを持つ。その他については、図５に示されたラベルの構造は、図２に示されたラベルと全く同じであるため、図２の説明をそのまま援用する。
【００３８】
本発明の更に別の実施例が図６に示されている。図６に示されたラベルは、タグ２０が、そしてタグ３ａ，３ｂも同様に、重複部１ｂと基部１ａの上面にて別の部品として設けられている点が、図２に示されてたラベルとは相違している。この実施例において、重複部１ｂの上面には粘着反発性の上面円滑層２２が設けられている。タグ２０には、タグ２０を上面円滑層２２へ除去可能に接着するタグ粘着層１９が設けられている。さらに、図６に示されたラベルには第１の粘着層２へ接着されている２枚の情報シート１６，１７からなる小冊子が設けられている。重複部１ｂの中央領域１２は非粘着層なので、情報シート１６は小冊子の背の部分だけで接着する。その他については、図６に示されたラベルの構造及び取り扱いは、図２に示されてラベルと全く同じであるため、図２の説明をそのまま援用する。
【００３９】
図７に示された更なる実施例においては、図６の実施例に関して既に説明したのと同様に、重複部１ｂの除去可能なタグ２０が重複部１ｂの上面に取り付けられているに対して、基部１ａのタグ３ａ，３ｂは、図２の実施例に関して既に説明したのと同様に、該基部１ａにおいて型抜き線により設けられている。図７の実施例は、いくつかの実施例のいろいろな組み合わせが可能であることをデモンストレーション的に示すものである。
【００４０】
図２のラベルは、一例として以下のように製造することが可能である。
透明なポリプロピレンの透明フィルムからなる連続した長さの材料（図示せず）には、基部１ａ、重複部１ｂ、特に基部１ａと重複部１ｂのタグ３ａ、３ｂ及び２０、のために意図された印刷物（図示せず）が設けられている。その印刷物は、ラベル完成後に上面から見たとき、ラベルの上に残される印刷物の鏡像からなる。背景対比インクが全体にもしくは部分的にこの印刷物の上に印刷される。本発明の或る実施例において、例えば容器１３の満杯レベルをチェックするなど、容器１３の中を目で点検できるようにするために、基部１ａにおける少なくともひとつの小さな「窓」と、重複部１ｂにおける対応する「窓」とが、露出されるように残しておくことは都合が良いかもしれない。
【００４１】
上記のように印刷されたフィルムの同じ側の面にて、その上から、接着剤がプリントされ、図３に見られるように第１の粘着層２を定義する粘着層の所定のパターンが生じるようにされる。もちろん、接着剤は、非粘着性の端部片９ａ、９ｂと非粘着性の隅片１１をそれぞれ設けるように、プリントされる。同時に、シリコン処理された表面をもつ担体ウェブが部分的にワニスで印刷され、これが図２に関して説明された粘着解消部２１の層を構成する。粘着層が設けられた透明なポリエステル製の連続するウェブが、担体ウェブのシリコン処理された表面と印刷されたワニス部分のそれぞれに接触させられるように、その粘着層で上記担体ウェブに重ね合わされる（ラミネートされる）。このポリエステル・ウェブの上面（つまり粘着層で覆われていない側の面）は、底面円滑層４ａ，４ｂを形成するために、それからシリコンで印刷される。それから、重ね合わされたものが型抜きされて、図２および３に示された底面円滑層４ａ，４ｂを持つ有形物部分１５ａ，１５ｂのみが残り、かつ固定粘着層７ａ，７ｂを持つ担体物に粘着するようにされる。
【００４２】
こうして準備された適宜の長さの二つの材料物は、精密に一緒に重ね合わされる（ラミネートされる）。一緒に重ね合わされ材料物は再度型抜きされ、それにより、図１に示されているようなラベルの輪郭を生成する。この型抜きにおいて、刻み線も作成され、それはタグ３ａ，３ｂそして２０を輪郭づける。それらは連続する刻み線、型抜き線、もしくはミシン目の抜き型でできる。そのあと、図１および図２に示された形状のラベルが、搬送ベルト（図示せず）上で処理用に利用可能である。
【００４３】
ラベル製造の第２バージョンでは、ラベルの基本材料は、粘着剤で底面の表面全体が覆われた、不透明な適宜の長さの材料物（紙またはプラスティック・フィルム）であってよい。底面と反対側の上面は、例えば文字押し付け印刷またはフレクソグラフ印刷などの在来手法を用いて望みのやり方で印刷して、重複部と基部、特にそのタグには希望する印刷物（表示物）が設けられる。それから、粘着力をキャンセルするラッカーが、非粘着性の端部片９ａ、９ｂおよび非粘着性の隅片１１に対応して、材料物の底面にある連続する自己粘着層の上に印刷される。これにより、第１の粘着層の製造において、ラッカーで印刷された他の部位が非粘着質に作られるように結果する。
その他の部分の製造工程は、上述した第１のバージョンと全く同一であるから、繰り返しを避けるためここでは説明を省略する。
【００４４】
以上のように、本発明に従う様々な実施例が示され、説明されたが、本発明はなおこれらに限定されるものではないことが理解されよう。これらの実施例は、さらにこの分野の技術で熟練を有する者により、変更され、改善され、さらなる応用形態が付加されてよい。それゆえ、この発明は、先に示され、説明された詳細な実施例に制限されず、特許請求の範囲に記載された範囲内に含まれるすべての変更や変形をも含んでいる。
【００４５】
【発明の効果】
以上説明したように本発明によれば、基部に設けられた少なくとも１つの除去可能なタグと、重複部に設けられた少なくとも１つの除去可能な更なるタグとを有するようにラベルを構成したので、容器の全ジャケット面よりも広く覆えるラベルが提供されると共に、このラベル及びタグによって提供可能な情報量を増すことができる。
【図面の簡単な説明】
【図１】  本発明の一実施例に従うラベルの上面図。
【図２】  図１のラベルの長手方向縦断面図。
【図３】  図１のラベルの反対側の面を示す図。
【図４】  図１のラベルが貼り付けられた容器の一例を示す側面図。
【図５】  本発明の別の実施例に従うラベルの長手方向縦断面図。
【図６】  本発明のさらに別の実施例に従うラベルの長手方向縦断面図。
【図７】  本発明のさらに他の実施例に従うラベルの長手方向縦断面図。
【符号の説明】
１  ラベル（ベースフィルム）
１ａ  基部
１ｂ  重複部
２  第１の粘着層
３ａ，３ｂ  除去可能なタグ
２０  除去可能な更なるタグ
４ａ，４ｂ  底面円滑層
５  粘着反発性の上面円滑層
１５ａ，１５ｂ  フィルム片又は有形物部分
７ａ，７ｂ  固定粘着層
２１  粘着解消部
１６，１７  情報シート
【図１】
0004156875.tif 000002
【図２】
0004156875.tif 000003
【図３】
0004156875.tif 000004
【図４】
0004156875.tif 000005
【図５】
0004156875.tif 000006
【図６】
0004156875.tif 000007
【図７】
0004156875.tif 000008